(57)【特許請求の範囲】
【請求項１】
正面にフレキシブルプリント基板の先端部を挿入できる開口部を有するとともに、前記正面から背面を貫通する複数の挿入孔を所定のピッチで並設したベースと、
前記フレキシブルプリント基板の先端部に並設した接続部に圧接可能な可動接点を一端部に有する略Ｔ字形状の操作片を突設するとともに、固定接点となる一端部を前記挿入孔に背面側から挿入する接続端子と、
接続端子の上辺に設けた回動用凹部にカム部を嵌合して回動支点とし、前記操作片の他端部に位置する操作受け部を前記カム部で駆動可能な操作レバーとからなるコネクタであって、
前記操作レバーを回動させてロック操作が完了したときに、前記接続端子の上辺に突設した抜け止め用突起に、前記操作レバーの下面に設けた位置規制用当接部を係止させて抜け止めすることを特徴とするコネクタ。
【請求項２】
接続端子の上辺のうち、他端部と回動用凹部との間に、操作レバーの位置規制用当接部が嵌合する位置規制用凹部を形成したことを特徴とする請求項１に記載のコネクタ。
【請求項３】
接続端子の抜け止め用突起と回動用凹部との間で、かつ、前記回動用凹部に隣接する位置に、操作レバーのカム部に当接して位置規制する抜け止め用凸部を形成したことを特徴とする請求項１または２に記載のコネクタ。
【請求項４】
操作レバーの並設した複数の位置規制用当接部を、同一軸心上で連続するように連結一体化したことを特徴とする請求項１ないし３のいずれか１項に記載のコネクタ。
【請求項５】
接続端子の抜け止め用突起に係止部を設ける一方、前記係止部に係止可能な係止受け部を前記操作レバーの位置規制用当接部に形成したことを特徴とする請求項１ないし４のいずれか１項に記載のコネクタ。
【発明の詳細な説明】
【技術分野】
【０００１】
本発明はコネクタ、特に、フレキシブルプリント基板の先端部に設けた接続部に接続するコネクタに関する。
【背景技術】
【０００２】
従来、コネクタとしては、例えば、特許文献１に示すように、フレキシブルプリント基板（ＦＰＣ）又はフレキシブルフラットケーブル（ＦＦＣ）と着脱自在に嵌合するものがある。そして、前記コネクタは、前記フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーと、を備えている。
【０００３】
さらに、前記コネクタでは、前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、前記スライダーに長手方向に連設した押圧部を設け、該押圧部が前記コンタクトの接続部と押受部との間で回動自在に前記スライダーを前記ハウジングに装着してある。
【特許文献１】特開２００４−７１１６０号公報
【発明の開示】
【発明が解決しようとする課題】
【０００４】
しかしながら、前述のコネクタでは、例えば、特許文献１の図２Ａ，２Ｂに示すように、ＦＰＣ４０を接続する際にスライダー１６である操作レバーをロックするように回動させると、回動操作力の水平分力が負荷される。このため、前記操作レバーがハウジング１２であるベースから脱落しやすい。特に、前記操作レバーが脱落する際には、コンタクト１４の支点部３２に応力が集中しやすく、弾性部３４が塑性変形し、接続不能になるという問題点がある。
【０００５】
本発明は、前記問題点に鑑み、操作レバーに回動操作力の水平分力が作用しても、操作レバーがベースから脱落せず、接続端子が塑性変形しないコネクタを提供することを課題とする。
【課題を解決するための手段】
【０００６】
本発明にかかるコネクタは、前記課題を解決すべく、正面にフレキシブルプリント基板の先端部を挿入できる開口部を有するとともに、前記正面から背面を貫通する複数の挿入孔を所定のピッチで並設したベースと、前記フレキシブルプリント基板の先端部に並設した接続部に圧接可能な可動接点を一端部に有する略Ｔ字形状の操作片を突設するとともに、固定接点となる一端部を前記挿入孔に背面側から挿入する接続端子と、接続端子の上辺に設けた回動用凹部にカム部を嵌合して回動支点とし、前記操作片の他端部に位置する操作受け部を前記カム部で駆動可能な操作レバーとからなるコネクタであって、前記操作レバーを回動させてロック操作が完了したときに、前記接続端子の上辺に突設した抜け止め用突起に、前記操作レバーの下面に設けた位置規制用当接部を係止させて抜け止めする構成としてある。
【発明の効果】
【０００７】
本発明によれば、操作レバーをロック操作した場合に、前記操作レバーに回動操作力の水平分力が作用しても、前記操作レバーに設けた位置規制用当接部が、接続端子の上辺に設けた抜け止め用突起に係止して抜け止めされ、操作レバーが脱落することがない。
また、操作レバーが水平方向に抜け出ることがないので、接続端子に過大な負荷が作用せず、接続端子の塑性変形を防止できる。
さらに、操作レバーの位置規制用当接部が接続端子の抜け止め用突起に位置規制され、ロック操作完了時の操作レバーの位置決め精度が向上し、接点の位置精度が向上するため、接触信頼性が高くなる。
【０００８】
本発明の実施形態としては、接続端子の上辺のうち、他端部と回動用凹部との間に、操作レバーの位置規制用当接部が嵌合する位置規制用凹部を形成した構成としてもよい。
本実施形態によれば、接続端子の位置規制用凹部に操作レバーの位置規制用当接部が嵌合させることにより、接続端子の高さ寸法、ひいてはコネクタ全体の高さ寸法を高くすることなく、操作レバーの水平方向の脱落を防止できる。
【０００９】
本発明の実施形態としては、接続端子の抜け止め用突起と回動用凹部との間で、かつ、前記回動用凹部に隣接する位置に、操作レバーのカム部に当接して位置規制する抜け止め用凸部を形成した構成としてもよい。
本実施形態によれば、操作レバーのカム部が接続端子の抜け止め用凸部に水平方向に位置規制されるので、操作レバーがより一層脱落しにくくなる。
【００１０】
本発明の実施形態としては、操作レバーの並設した複数の位置規制用当接部を、同一軸心上で連続するように連結一体化した構成としてもよい。
本実施形態によれば、操作レバーの操作性を確保しつつ、強度を高めることができる。
【００１１】
本発明の実施形態としては、接続端子の抜け止め用突起に係止部を設ける一方、前記係止部に係止可能な係止受け部を前記操作レバーの位置規制用当接部に形成した構成としてもよい。
本実施形態によれば、操作レバーがより一層脱落しにくくなるとともに、操作感触が向上するという効果がある。
【発明を実施するための最良の形態】
【００１２】
本発明にかかる実施形態を図１ないし図１３の添付図面に従って説明する。
第１実施形態にかかるコネクタ１０は、図１ないし図３に示すように、大略、ベース１１と、接続端子２０と、操作レバー３０とからなるものであり、フレキシブルプリント基板（ＦＰＣ）４０を着脱可能に接続できるものである（図４，５）。
【００１３】
ベース１１は、図６Ａ，６Ｂに示すように、その両側端面の片側縁部から弾性腕部１２，１２を背面側に平行にそれぞれ延在してあるとともに、背面から正面に貫通する挿入孔１３を所定のピッチで並設してある。
また、図６Ａに示すように、前記弾性腕部１２の内向面のうち、先端縁部にガイド用テーパ面１２ａを形成してあるとともに、その奥側に軸受け部１２ｂを形成してある。さらに、前記ベース１１は、その背面の下方縁部から前記弾性腕部１２，１２の間にガイド板１４を延在してあるとともに、前記ガイド板１４の上面に前記挿入孔１３にそれぞれ連通するガイド溝部１４ａを並設してある。そして、前記挿入孔１３の下方基部に、前記挿入孔１３に連通し、かつ、後述する接続端子２０を抜け止めする抜け止め用凹部１５を形成してある。
一方、図６Ｂに示すように、前記ベース１１は、その正面側に後述するフレキシブルプリント基板４０を挿入できる開口部１１ａを有している。また、前記ベース１１は、その正面側の両側縁部に設けた圧入溝１１ｂに、基板実装時における浮き上がりを防止するための支持金具１６，１６をそれぞれ圧入，保持している（図２，３）。
【００１４】
接続端子２０は、図７に示すように、その一端部に設けた固定接点２０ａを前記ベース１１の挿入孔１３に挿入可能であり、その中間部から支持部２１を有する略Ｔ字形状の操作片２２を突設してあるとともに、その他端部２０ｂの下方縁部に係止用爪部２３を設けてある。前記操作片２２の一端部から可動接点２２ａが下方に向けて突出しているとともに、その他端部を操作受け部２２ｂとしてある。また、前記接続端子２０は、前記支持部２１の基部を板厚方向に突き出して抜け止め用爪部２４を形成してある。さらに、前記他端部２０ｂから前記抜け止め用爪部２４までの間に位置する上辺部に、抜け止め用突起２５、位置規制部２６、抜け止め用凸部２７および回動用凹部２８を形成してある。
【００１５】
操作レバー３０は、図８に示すように、両側端面に回動軸部３１，３１を同一軸心上に突設してある。また、前記操作レバー３０は、一方の片側縁部に接続端子２０の操作受け部２２ｂを操作するカム部３２を所定のピッチで並設してあるとともに、前記カム部３２に対応する位置に前記操作片２２を挿通するための貫通孔３３を並設してある。さらに、前記操作レバー３０は、前記貫通孔３３に隣接する位置に、前記接続端子２０の位置規制部２６に当接する位置規制用当接部３４を形成してある。前記位置規制用当接部３４は、前記操作レバー３０の回動操作が完了した直後、あるいは、完了と同時に、前記接続端子２０の位置規制部２６に当接し、前記操作レバー３０の過回転による脱落を防止できる下端面を有している。また、前記位置規制用当接部３４は、同一軸心上で連続するように連結されているので、操作性を確保しつつ、強度を維持できる。また、前記操作レバー３０は、他方の片側縁部に操作用テーパ面３５を形成し、切り欠いてあるので、操作レバー３０が小さくなっても、指等によるロック解除の操作が容易である。
【００１６】
なお、本実施形態のコネクタ１０に接続されるＦＰＣ４０は、図４，５に示すように、その先端部に接続部４１をプリント配線してある。
【００１７】
前述の構成部品からなるコネクタ１０の組立方法について説明する。
まず、前記ベース１１の背面側からガイド板１４のガイド溝部１４ａに沿って接続端子２０の一端部２０ａを挿入孔１３に挿入する。これにより、接続端子２０に設けた抜け止め用爪部２４がベース１１の抜け止め用凹部１５の天井面に係止するとともに、係止用爪部２６がベース１１の縁部に係止し、位置決めされる。
【００１８】
ついで、前記操作レバー３０の貫通孔３３に接続端子２０の操作受け部２２ｂをそれぞれ挿入し、前記接続端子２０の上辺に沿って前記操作レバー３０を滑らせ、カム部３２で操作受け部２２ｂを押し上げて弾性変形させたままの状態で押し込む。これにより、前記カム部３２が接続端子２０の回動用凹部２８に嵌合するとともに、前記回動軸部３１がベース１１のガイド用テーパ面１２ａを通過して軸受け部１２ｂに嵌合し、前記操作レバー３０が回動可能に支持される（図９）。
【００１９】
本実施形態によれば、図１０および図１１に示すように、操作レバー３０をロック側に過回転させようとしても、操作レバー３０の位置規制用当接部３４が接続端子２０の位置規制部２６に当接し、位置規制される。このため、操作レバー３０を回動操作した際に生じ得る過回転による脱落を防止できる。
また、図１１に示すように、本実施形態では、操作レバー３０に回動操作力の水平分力が負荷されても、抜け止め用突起２５に位置規制用当接部３４が係止するので、操作レバー３０が側方に脱落することがない。
さらに、回動用凹部２８の直後に抜け止め用凸部２７を配置してあるので、操作レバー３０のカム部３２が前記抜け止め用凸部２７に当接し、より一層脱落しにくくなるという利点がある。
【００２０】
次に、前記コネクタ１０に前記フレキシブルプリント基板４０を接続する方法を図９ないし図１２に基づいて説明する。
まず、図９に示すように、前記ベース１１の開口部１１ａにフレキシブルプリント基板４０の接続部４１を前記ベース１１の内側面に突き当たるまで挿入する（図１０）。ついで、操作レバー３０を回動軸部３１の軸心を中心に回動して押し倒すと、図１１に示すように、カム部３２が接続端子２０の操作受け部２２ｂを押し上げる。このため、支持部２１を支点として略Ｔ字形状の接触片２２が傾き、可動接点２２ａがフレキシブルプリント基板４０の接続部４１に圧接して導通する。そして、前記操作レバー３０を更に回動させようとしても、位置規制用当接部３４が接続端子２０の位置規制部２６に当接することにより、操作レバー３０の過回転による脱落を防止できる。
【００２１】
本実施形態においては、操作レバー３０の回動操作完了時に、操作レバー３０の位置規制用当接部３４が接続端子２０の抜け止め用突起２５に係合する。このため、操作レバー３０に回転操作力の水平分力が作用しても、前記操作レバー３０の脱落を確実に防止できる。
また、前記カム部３２の断面が略楕円形状であるので、所定の角度だけ回動すると、回転モーメントが急激に変化することにより、確かな操作感触が得られる。
【００２２】
一方、前記フレキシブルプリント基板４０を前記コネクタ１０から取り外す場合には、前記操作レバー３０を前述とは逆方向に回動させることにより、カム部３２を反転させ、接続端子２０の操作受け部２２ｂへの曲げモーメントを解除し、前記フレキシブルプリント基板４０の接続部４１に対する可動接点２２ａの接続状態を解除した後、前記フレキシブルプリント基板４０をベース１１から引き出す。
【００２３】
第２実施形態は、図１２に示すように、前述の第１実施形態とほぼ同様であり、同一部分には同一番号を附して説明を省略する。
本実施形態が第１実施形態と異なる点は、抜け止め用凸部２７と隣り合う位置に抜け止め用第２凸部２７ａを設けた点である。これにより、前記操作レバー３０の位置規制用当接部３４が前記抜け止め用凸部２７と抜け止め用第２凸部２７ａとで水平方向に位置規制され、操作レバー３０のガタツキをより一層確実に規制できるという利点がある。
【００２４】
第３実施形態は、図１３に示すように、前述の第１実施形態とほぼ同様であり、異なる点は接続端子２０の上辺部に位置規制用凹部２９を設けた点である。なお、同一部分には同一番号を附して説明を省略する。
本実施形態によれば、前記位置規制用凹部２９の底面に操作レバー３０の位置規制用当接部３４の下面を当接させることにより、操作レバー３０の過回転による脱落を防止できる。
また、操作レバー３０の位置規制用当接部３４に対する干渉寸法を大きくできる。このため、前記位置規制用凹部２９の内側面に前記位置規制用当接部３４を係止することにより、回動操作力の水平分力による前記操作レバー３０の脱落を防止できる。
さらに、接続端子２０の高さ寸法、ひいては、コネクタ１０全体の高さ寸法を抑えることができ、薄型のコネクタ１０が得られる。
【００２５】
第４実施形態は、図１４および図１５に示すように、前述の第１実施形態とほぼ同様であり、異なる点は操作レバー３０の下面外周縁部に位置規制用壁部３６を突設した点である。他は同一であるので、同一部分には同一番号を附して説明を省略する。
本実施形態によれば、接続端子２０の後端部２０ｂが前記位置規制用壁部３６で被覆されるので、防塵性が向上し、異物等による端子間の短絡を防止できる。
【００２６】
前述の実施形態では、操作レバー３０の位置規制用当接部３４を接続端子２０の上辺に当接させて位置規制する場合を説明したが、必ずしもこれに限らず、前記操作レバー３０に設けた位置規制用当接部をベース１１のガイド板１４の上面に当接させることにより、過回転による脱落を防止してもよい。
また、操作レバー３０の位置規制用当接部３４に係止部を設ける一方、前記係止部に係止する係止受け部を接続端子２０の抜け止め用突起２５に設けることにより、より一層脱落しにくくなるとともに、操作感触が向上するという利点がある。
さらに、前記接続端子の抜け止め用突起は、その上辺のうち、他端部に設ける場合に限らず、前記後端部と回動用凹部との間に形成すればよく、特に、配線基板にハンダ付けされる部分の近傍に配置しておくことが好ましい。
【産業上の利用可能性】
【００２７】
本発明にかかるコネクタ１０は前述のコネクタに限らず、他のコネクタに適用してもよいことは勿論である。
【図面の簡単な説明】
【００２８】
【図１】図１Ａ，１Ｂは本発明に係るコネクタの第１実施形態を示す動作前後の斜視図である。
【図２】図２Ａ，２Ｂは図１に示したコネクタの動作前後を示す異なる角度から視た斜視図である。
【図３】図１に示したコネクタの分解斜視図である。
【図４】図１に示したコネクタにフレキシブル基板を装着する前後を示す部分破断斜視図である。
【図５】図１に示したコネクタにフレキシブルプリント基板を装着する前後を示す異なる角度から視た部分破断斜視図である。
【図６】図６Ａおよび図６Ｂは図３に示したベースの部分破断斜視図である。
【図７】図７Ａおよび図７Ｂは図３に示した接続端子の斜視図および正面図である。
【図８】図８Ａ、８Ｂおよび図８Ｃは図３に示した操作レバーの部分破断斜視図である。
【図９】図９Ａおよび図９Ｂは第１実施形態にかかるコネクタの操作方法を説明するための部分破断斜視図、正面断面図である。
【図１０】図１０Ａおよび図１０Ｂは図９に続くコネクタの操作方法を説明するための部分破断斜視図および正面断面図である。
【図１１】図１１Ａ，１１Ｂは図１０に続くコネクタの操作方法を説明するための部分破断斜視図および正面断面図である。
【図１２】図１２Ａ，１２Ｂは第２実施形態にかかるコネクタを説明するための部分破断斜視図および正面断面図である。
【図１３】図１３Ａ，１３Ｂは第３実施形態にかかるコネクタを説明するための部分破断斜視図および正面断面図である。
【図１４】図１４Ａ，１４Ｂは第４実施形態にかかるコネクタを説明するための部分破断斜視図および正面断面図である。
【図１５】図１５Ａ，１５Ｂは第４実施形態にかかるコネクタの回動操作後を示す正面断面図および下方から視た部分破断斜視図である。
【符号の説明】
【００２９】
１０：コネクタ
１１：ベース
１１ａ：開口部
１２：弾性腕部
１３：挿入孔
１４：ガイド板
１４ａ：ガイド溝
１５：抜け止め用凹部
１６：支持金具
２０：接続端子
２０ａ：固定接点（一端部）
２０ｂ：他端部
２１：支持部
２２：操作片
２２ａ：可動接点
２２ｂ：操作受け部
２３：係止用爪部
２４：抜け止め用爪部
２５：抜け止め用突起
２６：位置規制部
２７：抜け止め用凸部
２７ａ：抜け止め用第２凸部
２８：回動用凹部
２９：位置規制用凹部
３０：操作レバー
３１：回動軸部
３２：カム部
３３：貫通孔
３４：位置規制用当接部
３５：操作用テーパ面
３６：位置規制用壁部
４０：フレキシブルプリント基板（ＦＰＣ）
４１：接続部
【図１】
0005018620.tif 000002
【図２】
0005018620.tif 000003
【図３】
0005018620.tif 000004
【図４】
0005018620.tif 000005
【図５】
0005018620.tif 000006
【図６】
0005018620.tif 000007
【図７】
0005018620.tif 000008
【図８】
0005018620.tif 000009
【図９】
0005018620.tif 000010
【図１０】
0005018620.tif 000011
【図１１】
0005018620.tif 000012
【図１２】
0005018620.tif 000013
【図１３】
0005018620.tif 000014
【図１４】
0005018620.tif 000015
【図１５】
0005018620.tif 000016